(57)【要約】【課題】燃料消費量を削減し、作業時間を短縮すること。【解決手段】作業機械は、車輪に支持される車体と、車体に対して駆動可能なブームと、ブーム対して駆動可能なアームと、開口部を有し、開口部が前方を向くようにアームに対して駆動可能なバケットと、ブームを駆動するブームアクチュエータと、アームを駆動するアームアクチュエータと、バケットを駆動するバケットアクチュエータと、を備える。【選択図】図１
2020002606.tif 000002
【特許請求の範囲】
【請求項１】
車輪に支持される車体と、
前記車体に対して駆動可能なブームと、
前記ブーム対して駆動可能なアームと、
開口部を有し、前記開口部が前方を向くように前記アームに対して駆動可能なバケットと、
前記ブームを駆動するブームアクチュエータと、
前記アームを駆動するアームアクチュエータと、
前記バケットを駆動するバケットアクチュエータと、
を備える作業機械。
【請求項２】
前記車輪は、後輪及び前輪を含み、
前記車体は、前記後輪に支持される後部車体と、関節機構を介して前記後部車体に連結され前記前輪に支持される前部車体とを含む、
請求項１に記載の作業機械。
【請求項３】
前記車体の車幅方向において、前記バケットの寸法は、前記車体の寸法よりも大きい、
請求項１又は請求項２に記載の作業機械。
【請求項４】
前記ブームは、前記車体の車幅方向の中心に対して一方側に配置される第１ブームと、他方側に配置される第２ブームとを含み、
前記アームは、前記第１ブームに連結される第１アームと、前記第２ブームに連結される第２アームとを含む、
請求項３に記載の作業機械。
【請求項５】
前記アームと前記バケットと前記バケットアクチュエータとは、４節リンク機構を介して連結される、
請求項１から請求項４のいずれか一項に記載の作業機械。
【発明の詳細な説明】
【技術分野】
【０００１】
本発明は、作業機械に関する。
【背景技術】
【０００２】
作業機械の一種として、ホイールローダが知られている。ホイールローダは、ブームとバケットとを有する。ホイールローダは、バケットで掘削対象を掘削し、掘削した掘削物を運搬車両の荷台に積み込む。
【先行技術文献】
【特許文献】
【０００３】
【特許文献１】特開２００７−１８６９２９号公報
【発明の概要】
【発明が解決しようとする課題】
【０００４】
バケットで掘削対象を掘削するとき、ホイールローダは、バケットを地面に近付けた状態で掘削対象に向かって前進して、バケットを地面と掘削対象との境界の近傍に挿入する。バケットですくった掘削物を運搬車両の荷台に積み込むとき、ホイールローダは、掘削対象から離れるように後進した後、運搬車両に向かって前進しながらブームを上昇させる。ブームの上昇によりバケットを荷台よりも高い位置に配置した後、ホイールローダは、バケットをダンプ動作させてバケットから荷台に掘削物を排出する。このように、掘削対象を掘削する掘削作業においては、バケットは地面に近い低い位置に位置付けられ、掘削物を荷台に積み込む積込作業においては、バケットは荷台よりも高い位置に位置付けられる。そのため、ホイールローダは、掘削作業と積込作業との間においてバケットを上下方向に大きく移動させる必要がある。バケットを上下方向に大きく移動する必要がある場合、大きい動力が必要になるため、ホイールローダの燃料消費量が増大する可能性がある。また、ホイールローダを前進又は後進させながらバケットを上下方向に大きく移動する必要がある場合、バケットの移動距離及び移動時間が長くなるため、ホイールローダの作業時間が長くなる。
【０００５】
本発明の態様は、燃料消費量を削減し、作業時間を短縮することを目的とする。
【課題を解決するための手段】
【０００６】
本発明の態様に従えば、車輪に支持される車体と、前記車体に対して駆動可能なブームと、前記ブーム対して駆動可能なアームと、開口部を有し、前記開口部が前方を向くように前記アームに対して駆動可能なバケットと、前記ブームを駆動するブームアクチュエータと、前記アームを駆動するアームアクチュエータと、前記バケットを駆動するバケットアクチュエータと、を備える作業機械が提供される。
【発明の効果】
【０００７】
本発明の態様によれば、燃料消費量を削減し、作業時間を短縮することができる。
【図面の簡単な説明】
【０００８】
【図１】図１は、実施形態に係る作業機械を模式的に示す側面図である。
【図２】図２は、実施形態に係る作業機械を模式的に示す平面図である。
【図３】図３は、実施形態に係る作業機械を模式的に示す図である。
【図４】図４は、実施形態に係る作業機の一部を模式的に示す図である。
【図５】図５は、実施形態に係る作業機の一部を模式的に示す図である。
【図６】図６は、実施形態に係る作業機械の動作を示す図である。
【図７】図７は、実施形態に係る作業機械の掘削作業を示す模式図である。
【図８】図８は、実施形態に係る作業機械の積込作業を示す模式図である。
【発明を実施するための形態】
【０００９】
以下、本発明に係る実施形態について図面を参照しながら説明するが、本発明はこれに限定されない。以下で説明する実施形態の構成要素は適宜組み合わせることができる。また、一部の構成要素を用いない場合もある。
【００１０】
［作業機械］
図１は、本実施形態に係る作業機械１を模式的に示す側面図である。図２は、本実施形態に係る作業機械１を模式的に示す平面図である。本実施形態において、作業機械１は、ホイールローダである。作業機械１は、バケット１３ですくった掘削物を運搬車両の荷台に積み込む。
【００１１】
図１及び図２に示すように、作業機械１は、車輪４に支持される車体２と、車体２を支持して走行する走行装置３と、車体２に支持される作業機１０とを備える。
【００１２】
車体２は、前部車体２Ｆと、後部車体２Ｒと、前部車体２Ｆと後部車体２Ｒとを屈曲可能に連結する関節機構９とを有する。後部車体２Ｒに運転室６が設けられる。運転室６に運転シート７及び操作装置８が設けられる。作業機械１の操作者は、運転シート７に着座した状態で操作装置８を操作する。なお、運転室６に運転シート７及び操作装置８の一方又は両方が設けられなくてもよい。
【００１３】
走行装置３は、車体２を支持する。走行装置３は、関節機構９と、車輪４とを含む。関節機構９は、ステアリングシリンダを含む。関節機構９の一端部は、前部車体２Ｆに連結され、関節機構９の他端部は、後部車体２Ｒに連結される。ステアリングシリンダが伸縮することによって、車体２が屈曲する。車体２が屈曲することによって、作業機械１が旋回する。車輪４は、車体２に搭載されている図示しないエンジンが発生する動力により回転する。車輪４は、前部車体２Ｆを支持する２つの前輪４Ｆと、後部車体２Ｒを支持する２つの後輪４Ｒとを含む。車輪４にタイヤ５が装着される。タイヤ５は、前輪４Ｆに装着される前タイヤ５Ｆと、後輪４Ｒに装着される後タイヤ５Ｒとを含む。車輪４が回転することによって、作業機械１は地面ＲＳを走行する。
【００１４】
以下の説明においては、上下方向、前後方向、及び車幅方向という用語を用いて各部の位置関係について説明する。上下方向とは、地面ＲＳと接触するタイヤ５の接地面と直交する方向をいう。前後方向とは、車輪４の回転軸及び上下方向と直交する方向をいう。車幅方向とは、車輪４の回転軸と平行な方向をいう。車幅方向は、車体２の幅方向を示し、左右方向と同義である。
【００１５】
上方とは、上下方向においてタイヤ５の接地面から離れる方向をいい、下方とは、上下方向において上方の反対方向をいう。前方とは、車輪４から作業機１０に向かう方向をいい、後方とは、前後方向において前方の反対方向をいう。左方とは、前方を向いて運転シート７に着座した操作者を基準として左側の方向をいい、右方とは左右方向において左方の反対方向をいう。
【００１６】
操作装置８は、図示しないアクセルペダル、ブレーキペダル、ステアリングレバー又はステアリングホイール、前後進切換スイッチ、及び作業機操作レバーを含む。
【００１７】
操作者は、操作装置８のアクセルペダル、ブレーキペダル、ステアリングレバー、及び前後進切換スイッチを操作して、走行装置３の駆動、制動、旋回、及び前後進の切り換えを実施することができる。操作装置８のアクセルペダル及びブレーキペダルが操作されることにより、走行装置３は、駆動、制動、及び走行速度の調整を実施する。操作装置８のステアリングレバー又はステアリングホイールが操作されることにより、作業機械１は、旋回する。前後進切換レバーが操作されることにより、作業機械１は、前進と後進との切り換えを実施する。
【００１８】
作業機１０は、車体２に支持される。作業機１０は、車体２に連結されるブーム１１と、ブーム１１に連結されるアーム１２と、開口部１３Ｍを有し、開口部１３Ｍが前方を向くようにアーム１２に連結されるバケット１３とを有する。
【００１９】
ブーム１１は、前部車体２Ｆに回転可能に連結され、前部車体２Ｆに対して駆動可能である。ブーム１１は、ブーム回転軸ＡＸａを中心に回転可能である。ブーム回転軸ＡＸａは、車幅方向に延在する。ブーム１１は、基端部と先端部とを有する。ブーム１１の基端部が前部車体２Ｆに連結される。ブーム１１の先端部にアーム１２が連結される。
【００２０】
アーム１２は、ブーム１１に回転可能に連結され、ブーム１１に対して駆動可能である。アーム１２は、アーム回転軸ＡＸｂを中心に回転可能である。アーム回転軸ＡＸｂは、ブーム回転軸ＡＸａと平行である。アーム１２は、基端部と先端部とを有する。アーム１２の基端部がブーム１１の先端部に連結される。アーム１２の先端部にバケット１３が連結される。
【００２１】
バケット１３は、アーム１２に回転可能に連結され、アーム１２に対して駆動可能である。バケット１３は、バケット回転軸ＡＸｃを中心に回転可能である。バケット回転軸ＡＸｃは、ブーム回転軸ＡＸａ及びアーム回転軸ＡＸｂと平行である。バケット１３は、開口部１３Ｍ及び刃先を含む先端部１３Ｂを有する。バケット１３は、掘削物をすくい取る。作業機械１は、バケット１３ですくった掘削物を運搬車両の荷台に排出する。バケット１３から排出された掘削物は、荷台に積み込まれる。
【００２２】
バケット１３は、開口部１３Ｍが前方を向くようにアーム１２に連結される。ブーム１１及びアーム１２が下降し、バケット１３が地面ＲＳに接触している状態で、バケット１３の開口部１３Ｍは、前方を向く。掘削物は、開口部１３Ｍを介してバケット１３の内側に入り、バケット１３に保持される。バケット１３に保持されている掘削物は、開口部１３Ｍを介してバケット１３から排出される。作業機１０は、フロントローディング方式の作業機である。
【００２３】
図２に示すように、ブーム１１は、車体２の車幅方向の中心に対して左側に配置される第１ブーム１１Ａと、右側に配置される第２ブーム１１Ｂとを含む。アーム１２は、車体２の車幅方向の中心に対して左側に配置される第１アーム１２Ａと、右側に配置される第２アーム１２Ｂとを含む。第１アーム１２Ａは、第１ブーム１１Ａに連結される。第２アーム１２Ｂは、第２ブーム１１Ｂに連結される。第１ブーム１１Ａと第２ブーム１１Ｂとは、ブーム連結部材１４を介して連結される。ブーム連結部材１４は、第１ブーム１１Ａの長手方向の中央部と第２ブーム１１Ｂの長手方向の中央部とを連結する。第１アーム１２Ａと第２アーム１２Ｂとは、アーム連結部材１５を介して連結される。アーム連結部材１５は、第１アーム１２Ａの長手方向の中央部と第２アーム１２Ｂの長手方向の中央部とを連結する。
【００２４】
第１ブーム１１Ａ及び第２ブーム１１Ｂのそれぞれは、ブーム回転軸ＡＸａを中心に回転可能である。第１アーム１２Ａ及び第２アーム１２Ｂのそれぞれは、アーム回転軸ＡＸｂを中心に回転可能である。
【００２５】
車体２の車幅方向において、バケット１３の寸法は、車体２の寸法よりも大きい。車幅方向において、車体２の中心とバケット１３の中心とは一致する。車幅方向において、運転室６に配置されている運転シート７は、第１ブーム１１Ａと第２ブーム１１Ｂとの間、及び第１アーム１２Ａと第２アーム１２Ｂとの間に配置される。
【００２６】
図３は、本実施形態に係る作業機械１を模式的に示す図である。図３に示すように、作業機械１は、ブーム１１を駆動するブームアクチュエータであるブームシリンダ２１と、アーム１２を駆動するアームアクチュエータであるアームシリンダ２２と、バケット１３を駆動するバケットアクチュエータであるバケットシリンダ２３とを有する。ブームシリンダ２１、アームシリンダ２２、及びバケットシリンダ２３のそれぞれは、車体２に搭載されている油圧ポンプから供給される作動油に基づいて動力を発生する油圧シリンダである。油圧ポンプは、車体２に搭載されているエンジンが発生する動力により駆動する。エンジンは、ディーゼルエンジンであり、燃料が供給されることにより駆動する。なお、油圧ポンプの駆動源は、エンジンでなくてもよく、蓄電体及びモータを含む電気駆動源でもよい。油圧ポンプの駆動源として、エンジン及び電気駆動源の両方が利用されてもよい。
【００２７】
ブームシリンダ２１は、ブーム１１を駆動する動力を発生する。ブームシリンダ２１の一端部は、前部車体２Ｆに連結される。ブームシリンダ２１の他端部は、ブーム１１に連結される。ブームシリンダ２１が伸縮することにより、ブーム１１は、ブーム回転軸ＡＸａを中心に回転する。ブームシリンダ２１が伸びると、ブーム１１が上げ動作し、ブームシリンダ２１が縮むと、ブーム１１が下げ動作する。
【００２８】
アームシリンダ２２は、アーム１２を駆動する動力を発生する。アームシリンダ２２の一端部は、ブーム１１に連結される。アームシリンダ２２の他端部は、アーム１２に連結される。アームシリンダ２２が伸縮することにより、アーム１２は、アーム回転軸ＡＸｂを中心に回転する。アームシリンダ２２が伸びると、アーム１２が上げ動作し、アームシリンダ２２が縮むと、アーム１２が下げ動作する。
【００２９】
バケットシリンダ２３は、バケット１３を駆動する動力を発生する。バケットシリンダ２３の一端部は、アーム１２に連結される。バケットシリンダ２３の他端部は、バケット１３に連結される。バケットシリンダ２３が伸縮することにより、バケット１３は、バケット回転軸ＡＸｃを中心に回転する。バケットシリンダ２３が伸びると、バケット１３がダンプ動作し、バケットシリンダ２３が縮むと、バケット１３がチルト動作する。
【００３０】
バケット１３のダンプ動作とは、バケット１３の開口部１３Ｍが下方を向き先端部１３Ｂが地面に近付くようにバケット１３が回転する動作をいう。バケット１３のチルト動作とは、開口部１３Ｍが上方を向き先端部１３Ｂが地面から離れるようにバケット１３が回転する動作をいう。バケット１３がダンプ動作することにより、バケット１３に保持されている掘削物がバケット１３から排出される。バケット１３がチルト動作することにより、バケット１３は掘削物をすくい取る。
【００３１】
なお、アームシリンダ２２及びバケットシリンダ２３の一方又は両方が、車体２に対して駆動可能でもよい。
【００３２】
操作者は、操作装置８の作業機操作レバーを操作して、ブームシリンダ２１の作動、アームシリンダ２２の作動、及びバケットシリンダ２３の作動を実施することができる。
【００３３】
図４は、本実施形態に係る作業機１０の一部を模式的に示す図である。図４は、アーム１２とバケット１３とバケットシリンダ２３とを連結する連結機構３０を示す。連結機構３０は、４つの回転軸（節）が環状に構成される４節リンク機構を含む。連結機構３０は、４つの回転軸に対応する第１の回転軸を含むバケットピン３３Ａと、第２の回転軸を含む第１リンクピン３３Ｂと、第３の回転軸を含む第２リンクピン３３Ｃと、第４の回転軸を含むバケットシリンダトップピン３３Ｄとを有する。連結機構３０の４つの回転軸のそれぞれは、車幅方向に延在する。アーム１２とバケット１３とバケットシリンダ２３とは、４節リンク機構を介して連結される。
【００３４】
バケット１３の後部にブラケット３４が固定される。アーム１２の先端部とブラケット３４とがバケットピン３３Ａにより連結される。バケットピン３３Ａは、バケット回転軸ＡＸｃを含む。
【００３５】
連結機構３０は、第１リンクピン３３Ｂを介してアーム１２に回転可能に連結されるリンク部材３１を有する。リンク部材３１の基端部が第１リンクピン３３Ｂを介してアーム１２に連結される。リンク部材３１の先端部が第２リンクピン３３Ｃを介してバケットシリンダ２３に連結される。バケットシリンダ２３の先端部が、バケットシリンダトップピン３３Ｄを介してブラケット３４に連結される。
【００３６】
バケットシリンダ２３が伸縮すると、ブラケット３４及びバケット１３は、バケット回転軸ＡＸｃを中心に回転する。
【００３７】
図５は、本実施形態に係る作業機１０の一部を模式的に示す図であって、連結機構３０の他の実施形態を示す。図５に示す例において、連結機構３０は、第１の回転軸を含むバケットピン３３Ｅと、第２の回転軸を含む第１リンクピン３３Ｆと、第３の回転軸を含む第２リンクピン３３Ｇと、第４の回転軸を含む第３リンクピン３３Ｈとを有する。
【００３８】
また、連結機構３０は、第１リンクピン３３Ｆを介してアーム１２に回転可能に連結されるリンク部材３１と、第２リンクピン３３Ｇを介してリンク部材３１の先端部に連結され、第３リンクピン３３Ｈを介してブラケット３４に連結されるリンク部材３２と有する。バケットシリンダ２３の先端部は、バケットピン３３Ｅ又はバケットピン３３Ｅの近傍のバケット１３に連結される。リンク部材３１の中間部がリンクピン３３Ｉを介してバケットシリンダ２３に連結される。図５に示す例においても、バケットシリンダ２３が伸縮すると、ブラケット３４及びバケット１３は、バケット回転軸ＡＸｃを中心に回転する。
【００３９】
［動作］
次に、本実施形態に係る作業機械１の動作について説明する。作業機械１は、掘削対象ＤＳをバケット１３で掘削する掘削作業と、掘削作業によりバケット１３ですくった掘削物を運搬車両ＬＳの荷台ＢＥに積み込む積込作業とを実施する。掘削対象ＤＳとして、地山が例示される。掘削物として、土砂が例示される。運搬車両ＬＳとして、ダンプトラックが例示される。
【００４０】
作業機械１の動作形態として、「Ｖシェープ」、「移動無し掘削」、及び「掻き上げ掘削」が挙げられる。
【００４１】
「Ｖシェープ」とは、作業機械１を前進又は後進させながらバケット１３を上下方向に移動して掘削作業及び積込作業を行うことをいう。すなわち、「Ｖシェープ」とは、車輪４を回転させながら掘削作業及び積込作業を行うことをいう。
【００４２】
「移動無し掘削」とは、作業機械１の走行装置３を移動させることなくバケット１３を上下方向に移動して掘削作業及び積込作業を行うことをいう。すなわち、「移動無し掘削」とは、車輪４を回転させずに掘削作業及び積込作業を行うことをいう。
【００４３】
「掻き上げ掘削」とは、バケット１３の先端部１３Ｂを地面ＲＳに近付けた状態でバケット１３を掘削対象ＤＳに挿入した後、ブーム１１及びアーム１２を上げ動作して掘削対象ＤＳをバケット１３で掻き上げることをいう。
【００４４】
図６は、本実施形態に係る作業機械１の動作を示す模式図であり、「Ｖシェープ」を示す図である。「Ｖシェープ」の動作形態で掘削対象ＤＳを掘削するとき、作業機械１は、図６の矢印Ｍ１で示すように、掘削対象ＤＳに向かって前進する。作業機械１は、バケット１３で掘削対象ＤＳを掘削する。
【００４５】
掘削対象ＤＳがバケット１３により掘削され、バケット１３が掘削物をすくった後、作業機械１は、図６の矢印Ｍ２で示すように、掘削対象ＤＳから離れるように後進する。
【００４６】
バケット１３ですくった掘削物を運搬車両に積み込むとき、作業機械１は、図６の矢印Ｍ３で示すように、旋回しながら運搬車両ＬＳに向かって前進する。作業機械１は、運搬車両ＬＳに向かって前進しながらバケット１３を上昇させる。作業機械１は、運搬車両ＬＳに向かって前進しながらブーム１１及びアーム１２の少なくとも一方を上げ動作させる。ブーム１１及びアーム１２の少なくとも一方の上げ動作により、バケット１３は、運搬車両ＬＳの荷台ＢＥよりも高い位置に配置される。
【００４７】
ブーム１１及びアーム１２の少なくとも一方の上げ動作によりバケット１３を運搬車両ＬＳの荷台ＢＥよりも高い位置に配置した後、作業機械１は、バケット１３をダンプ動作させてバケット１３から荷台ＢＥに掘削物を排出する。これにより、掘削物が荷台ＢＥに積み込まれる。
【００４８】
バケット１３から掘削物を排出した後、作業機械１は、図６の矢印Ｍ４で示すように、運搬車両ＬＳから離れるように後進する。作業機械１は、後進した後、図６の矢印Ｍ１で示すように、掘削対象ＤＳに向かって前進する。作業機械１は、荷台ＢＥに掘削物が満載されるまで、上述の動作を繰り返す。上述の一連の動作を「Ｖシェープ」という。
【００４９】
図７は、本実施形態に係る作業機械１の掘削作業を示す模式図であり、「Ｖシェープ」における掘削作業を示す図である。「Ｖシェープ」の動作形態においてバケット１３で掘削対象ＤＳを掘削するとき、作業機械１は、ステアリングシリンダの操作による車体２の屈曲動作を適宜含みながら掘削対象ＤＳに向かって前進する。作業機械１は、バケット１３を地面ＲＳから離した状態で掘削対象ＤＳに向かって前進することができる。図７に示す例において、作業機械１は、地面ＲＳから距離Ｈａだけ上方に離れた位置にバケット１３を位置付けた状態で、掘削対象ＤＳに向かって前進する。「Ｖシェープ」の動作形態において、作業機械１は、掘削対象ＣＳに向かって前進しながらブーム１１及びアーム１２の少なくとも一方を上げ動作し、ブーム１１及びアーム１２の少なくとも一方の上げ動作と並行して、バケット１３をチルト動作させる。作業機械１は、地面ＲＳから距離Ｈａだけ上方に離れた掘削対象ＤＳの斜面の部位ＰＨにバケット１３を挿入することができる。距離Ｈａは、例えばタイヤ５の接地面と車輪４の回転軸との距離よりも長くてもよい。距離Ｈａは、例えばタイヤ５の直径よりも長くてもよい。
【００５０】
図８は、本実施形態に係る作業機械１の積込作業を示す模式図であり、「Ｖシェープ」における積込作業を示す図である。「Ｖシェープ」の動作形態でバケット１３ですくった掘削物を運搬車両ＬＳの荷台ＢＥに積み込むとき、作業機械１は、運搬車両ＬＳに向かって前進しながらブーム１１及びアーム１２の少なくとも一方を上げ動作させる。ブーム１１及びアーム１２の少なくとも一方の上げ動作によりバケット１３を荷台ＢＥよりも高い位置に配置した後、作業機械１は、バケット１３をダンプ動作させてバケット１３から荷台ＢＥに掘削物を排出する。図８に示す例において、作業機械１は、地面ＲＳから距離Ｈａと距離Ｈｂとの和だけ上方に離れた位置にバケット１３を上昇させることにより、バケット１３をベッセルＢＥの上方に位置付けることができる。
【００５１】
このように、掘削対象ＤＳを掘削する掘削作業においては、バケット１３は地面ＲＳから距離Ｈａだけ離れた位置に位置付けられ、掘削物を荷台ＢＥに積み込む積込作業においては、バケット１３は荷台ＢＥよりも高い位置に位置付けられる。本実施形態において、作業機械１は、掘削作業と積込作業との間においてバケット１３を上下方向に距離Ｈｂだけ移動させればよい。バケット１３を上下方向に大きく移動する必要がないため、作業機械１に搭載されているエンジン及び油圧ポンプは、過大な動力を出力しなくてすむ。そのため、作業機械１のエンジンの燃料消費量は削減される。また、バケット１３を上下方向に大きく移動する必要がないため、上下方向のバケット１３の移動距離及び移動時間は短くなる。そのため、作業機械１の作業時間が長くなることが抑制される。また、図６の矢印Ｍ１，Ｍ２，Ｍ３，Ｍ４で示しように、掘削作業及び積込作業において作業機械１が地面ＲＳを移動するときの移動距離が短縮される。作業機械１は、地面ＲＳの小さい領域において前進と後進とを繰り返しながら掘削作業と積込作業とを実施することができる。
【００５２】
なお、図７及び図８を参照しながら「Ｖシェープ」における掘削作業及び積込作業について説明した。上述の「移動無し掘削」の掘削作業においては、作業機械１は、車輪４を回転させずにバケット１３を地面ＲＳから距離Ｈａだけ離れた位置に位置付ける。「移動無し掘削」の積込作業においては、作業機械１は、車輪４を回転させずにバケット１３を荷台ＢＥよりも高い位置位置付ける。これにより、「移動無し掘削」においても、作業機械１のエンジンの燃料消費量は削減され、上下方向のバケット１３の移動距離及び移動時間は短くなる。
【００５３】
上述の「掻き上げ掘削」においては、図７に点線で示すように、作業機械１は、ブーム１１及びアーム１２を下降して、バケット１３の先端部１３Ｂを地面ＲＳに近付けた状態でバケット１３を掘削対象ＤＳに挿入した後、ブーム１１及びアーム１２を上げ動作してバケット１３を作業機械１の上方まで上昇させる。これにより、掘削対象ＤＳはバケット１３で掻き上げられる。
【００５４】
［効果］
以上説明したように、本実施形態によれば、作業機１０がブーム１１とアーム１２とバケット１３とを有するので、掘削作業において、作業機械１は、バケット１３を地面ＲＳから離した状態で掘削対象ＤＳを掘削することができる。これにより、積込作業において、作業機械１は、バケット１３を距離Ｈｂだけ上昇させればよい。掘削作業と積込作業との間において、作業機械１は、バケット１３を上下方向に大きく移動させる必要がないので、作業機械１の燃料消費量は削減され、作業機械１の作業時間は短縮される。
【００５５】
既存のホイールローダはアームを有しないので、バケットで掘削対象を掘削するとき、ホイールローダは、バケットを地面ＲＳに近付けた状態で掘削対象ＤＳに向かって前進して、バケット１３を地面ＲＳと掘削対象ＤＳとの境界ＰＬ（図７参照）の近傍に挿入する必要がある。この場合、バケットですくった掘削物を運搬車両ＬＳの荷台ＢＥに積み込むとき、ホイールローダは、ブームを距離Ｈａと距離Ｈｂとの和だけ上昇させる必要がある。すなわち、既存のホイールローダは、掘削作業と積込作業との間においてバケットを上下方向に大きく移動させる必要がある。バケットを上下方向に大きく移動する必要がある場合、大きい動力が必要になるため、ホイールローダの燃料消費量が増大する可能性がある。また、バケットを上下方向に大きく移動する必要がある場合、バケットの移動時間が長くなるため、ホイールローダの作業時間が長くなる可能性がある。
【００５６】
本実施形態によれば、作業機械１は、アーム１２を有するので、掘削作業において、地面ＲＳから距離Ｈａだけ上方に離れた位置にバケット１３を位置付けることができる。これにより、積込作業において、作業機械１は、バケット１３を距離Ｈｂだけ上昇させればよいので、バケット１３を上下方向に大きく移動させる必要がなくなる。したがって、作業機械１の燃料消費量を削減でき、作業時間を短期化することができる。
【００５７】
本実施形態において、作業機械１は、前部車体２Ｆと後部車体２Ｒとが関節機構９を介して連結されたアーティキュレート方式の作業機械である。そのため、図６に示したように、地面ＲＳの小さい領域において前進と後進とを繰り返しながら掘削作業と積込作業とを実施することができる。
【００５８】
本実施形態において、ブーム１１は、第１ブーム１１Ａと第２ブーム１１Ｂとを含み、アーム１２は、第１アーム１２Ａと第２アーム１２Ｂとを含む。これにより、第１ブーム１１Ａと第２ブーム１１Ｂとの間、及び第１アーム１２Ａと第２アーム１２Ｂとの間に空間が形成される。そのため、運転シート７に着座した操作者は、空間を介して、バケット１３を視認したり、掘削対象ＤＳ及び運搬車両ＬＳを視認したりすることができる。したがって、操作者は、掘削作業及び積込作業を円滑に実施することができる。
【００５９】
本実施形態においては、車幅方向において、バケット１３の寸法は、車体２の寸法よりも大きい。したがって、バケット１３は、１回の掘削作業において多量の掘削物をすくうことができる。そのため、作業機械１の作業効率は向上する。
【００６０】
［他の実施形態］
なお、上述の実施形態においては、操作者が操作装置８を操作することにより、作業機械１が作動することとした。作業機械１に操作者が搭乗しなくてもよい。作業機械１は遠隔操作されてもよいし、制御装置により自律的に作動してもよい。
【００６１】
上述の実施形態においては、ブームアクチュエータ、アームアクチュエータ、及びバケットアクチュエータのそれぞれが、油圧シリンダであるブームシリンダ２１、アームシリンダ２２、及びバケットシリンダ２３であることとした。ブームアクチュエータ、アームアクチュエータ、及びバケットアクチュエータの少なくとも一つは、油圧シリンダでなくてもよく、モータやギアを含んでもよい。
【符号の説明】
【００６２】
１…作業機械、２…車体、２Ｆ…前部車体、２Ｒ…後部車体、３…走行装置、４…車輪、４Ｆ…前輪、４Ｒ…後輪、５…タイヤ、５Ｆ…前タイヤ、５Ｒ…後タイヤ、６…運転室、７…運転シート、８…操作装置、９…関節機構、１０…作業機、１１…ブーム、１１Ａ…第１ブーム、１１Ｂ…第２ブーム、１２…アーム、１２Ａ…第１アーム、１２Ｂ…第２アーム、１３…バケット、１３Ｂ…先端部、１３Ｍ…開口部、１４…ブーム連結部材、１５…アーム連結部材、２１…ブームシリンダ、２２…アームシリンダ、２３…バケットシリンダ、３０…連結機構、３１…リンク部材、３２…リンク部材、３３Ａ…バケットピン、３３Ｂ…第１リンクピン、３３Ｃ…第２リンクピン、３３Ｄ…バケットシリンダトップピン、３３Ｅ…バケットピン、３３Ｆ…第１リンクピン、３３Ｇ…第２リンクピン、３３Ｈ…第３リンクピン、３３Ｉ…リンクピン、３４…ブラケット、ＡＸａ…ブーム回転軸、ＡＸｂ…アーム回転軸、ＡＸｃ…バケット回転軸、ＢＥ…荷台、ＤＳ…掘削対象、ＬＳ…運搬車両、ＰＨ…部位、ＰＬ…境界、ＲＳ…地面。
【図１】
2020002606.tif 000003
【図２】
2020002606.tif 000004
【図３】
2020002606.tif 000005
【図４】
2020002606.tif 000006
【図５】
2020002606.tif 000007
【図６】
2020002606.tif 000008
【図７】
2020002606.tif 000009
【図８】
2020002606.tif 000010